(57)【要約】      （修正有）【課題】商品の陳列時におけるその方向性の統一化が図れて顧客の視認性向上に寄与でき、更には、商品の抜け落ちを抑止できる簡略構造の商品陳列掛止具を提供する。【解決手段】商品陳列掛止具１は、陳列用受部材３１への掛け止めフック片部２と、この掛け止めフック片部２に連設されるとともに、商品５１の一部を掛け止めて吊り下げる吊り下げフック片部３とを略Ｓ字状に形成する。さらに、吊り下げフック片部３の端部に商品抜け止め抑止用の膨出部４を設け、吊り下げフック片部３を掛け止めフック片部に対して、水平左４５度又は略左４５度捻った形態とし、商品５１が水平方向に４５度又は略４５度左旋回した状態で吊り下げられる構成とする。【選択図】図５
0003167564.tif 000002
【実用新案登録請求の範囲】
【請求項１】
陳列用受部材への掛け止めフック片部と、この掛け止めフック片部に連設されるとともに、商品の一部を掛け止めて吊り下げる吊り下げフック片部とを有する商品陳列掛止具であって、
前記吊り下げフック片部を前記掛け止めフック片部に対して、商品表面視認を妨げない範囲で所定角度捻った形態とし、吊り下げる商品が所定角度左旋回した状態になる構成したことを特徴とする商品陳列掛止具。
【請求項２】
陳列用受部材への掛け止めフック片部と、この掛け止めフック片部に連設されるとともに、商品の一部を掛け止めて吊り下げる吊り下げフック片部とを有する商品陳列掛止具であって、
前記吊り下げフック片部を前記掛け止めフック片部に対して、水平左４５度又は略左４５度捻った形態とし、前記商品が水平方向に４５度又は略４５度左旋回した状態で吊り下げられるように構成したことを特徴とする商品陳列掛止具。
【請求項３】
陳列用受部材への掛け止めフック片部と、この掛け止めフック片部に連設されるとともに、商品の一部を掛け止めて吊り下げる吊り下げフック片部とを有し、略Ｓ字状に形成した商品陳列掛止具であって、
前記吊り下げフック片部の商品嵌め入れ端部に、商品抜け止め抑止用の膨出部を設けるとともに、前記吊り下げフック片部を前記掛け止めフック片部に対して、水平左４５度又は略左４５度捻った形態とし、前記商品が水平方向に４５度又は略４５度左旋回した状態で吊り下げられるように構成したことを特徴とする商品陳列掛止具。
【請求項４】
角形又は丸形の陳列用受部材への掛け止めフック片部と、この掛け止めフック片部に連設されるとともに、商品の一部を掛け止めて吊り下げる吊り下げフック片部とを有し、弾性を有する針金材又は棒材を用いて略Ｓ字状に形成した商品陳列掛止具であって、
前記掛け止めフック片部を、角形又は丸形の陳列用受部材に掛け止め可能な角形、丸形、又は最上部が直線状でその両側が弧状の角・丸組み合わせ形のいずれかの形状とし、前記吊り下げフック片部の商品嵌め入れ端部に、商品抜け止め抑止用の膨出部を設け、前記掛け止めフック片部の掛け止め突出端部に外方へ曲げた曲部を設けるとともに、前記吊り下げフック片部を前記掛け止めフック片部に対して、水平左４５度又は略左４５度捻った形態とし、前記商品が水平方向に４５度又は略４５度左旋回した状態で吊り下げられるように構成したことを特徴とする商品陳列掛止具。
【請求項５】
角形の陳列用受部材への掛け止めフック片部と、この掛け止めフック片部に連設されるとともに、商品の一部を掛け止めて吊り下げる吊り下げフック片部とを有し、弾性を有する針金材又は棒材を用いて略Ｓ字状に形成した商品陳列掛止具であって、
前記掛け止めフック片部を、角形の陳列用受部材に掛け止め可能な角形の形状とし、この掛け止めフック片部における最上部側の内幅を角形の陳列用受部材の厚さより隙間ができる程度に大きくして、前記掛け止めフック片部の角形の陳列用受部材に対するスライドを容易に構成し、
前記掛け止めフック片部における開口部側の前記陳列用受部材に対向する側は、陳列用受部材への掛け止めへの掛け止め時隙間ができる形状として、掛け止めフック片部を陳列用受部材へ滑り込み易くするように構成し、
前記吊り下げフック片部の商品嵌め入れ端部に、商品抜け止め抑止用の膨出部を設けて、前記掛け止めフック片部の開口部を形成する掛け止め突出端部に外方へ曲げた曲部を設け、商品陳列掛止具自体の角形の陳列用受部材に対する掛脱時に、前記掛け止めフック片部の曲部と、前記吊り下げフック片部の前記曲部に対向する孤状部分とを、角形の陳列用受部材の外面に各々弾性接触させる構成とし、
前記吊り下げフック片部を前記掛け止めフック片部に対して、水平４５度又は略４５度捻った形態とし、前記商品が水平方向に４５度又は略４５度左旋回した状態で吊り下げられるように構成したことを特徴とする商品陳列掛止具。
【請求項６】
弾性を有する針金材又は棒材を用いて角形の陳列用受部材への角形の掛け止めフック片部と、この掛け止めフック片部に連設され、商品の一部を掛け止めて吊り下げる吊り下げフック片部とを略Ｓ字状に形成した商品陳列掛止具であって、
前記角形の陳列用受部材に掛け止め可能な下方が開口した角型形状に形成されて、その内周部に設けた溝部に前記角形の掛け止めフック片部を嵌め着ける商札表示補助具本体と、この商札表示補助具本体の表面に設けた商品札、値札等の商札を表示する商札表示部とを具備する商札表示補助具を設け、
前記吊り下げフック片部の商品嵌め入れ端部に、商品抜け止め抑止用の膨出部を設けて、前記商札表示補助具本体から露出する掛け止めフック片部の開口部を形成する掛け止め突出端部に外方へ曲げた曲部を設け、
商品陳列掛止具自体の角形の陳列用受部材に対する掛脱時に、前記掛け止めフック片部の曲部と、前記吊り下げフック片部の前記曲部に対向する孤状部分とを、角形の陳列用受部材の外面に各々弾性接触させる構成とし、
前記吊り下げフック片部を前記掛け止めフック片部に対して、水平４５度又は略４５度捻った形態とし、前記商品が水平方向に４５度又は略４５度左旋回した状態で吊り下げられるように構成したことを特徴とする商品陳列掛止具。
【請求項７】
バー状の陳列用受部材に嵌め入れる掛け止めフック片部と、この掛け止めフック片部に連設されるとともに、商品の一部を掛け止めて吊り下げる吊り下げフック片部とを有する商品陳列掛止具であって、
前記吊り下げフック片部を前記掛け止めフック片部に対して、商品表面視認を妨げない範囲で所定角度右に捻った形態とし、吊り下げる商品が水平方向に所定角度右旋回した状態で吊り下げられる構成としたことを特徴とする商品陳列掛止具。
【請求項８】
バー状の陳列用受部材に嵌め入れる掛け止めフック片部と、この掛け止めフック片部に連設されるとともに、商品の一部を掛け止めて吊り下げる吊り下げフック片部とを、弾性を有する針金材又は棒材を用いて構成した商品陳列掛止具であって、
前記吊り下げフック片部の商品嵌め入れ端部に、商品抜け止め抑止用の膨出部を設けるとともに、前記吊り下げフック片部を前記掛け止めフック片部に対して、水平方向に４５度又は略４５度右に捻った形態とし、吊り下げる商品が水平方向に４５度又は略４５度右旋回した状態で吊り下げられるように構成したことを特徴とする商品陳列掛止具。
【考案の詳細な説明】
【技術分野】
【０００１】
本考案は、陳列商品を見易く、陳列商品を取り出し易く、商品の陳列時におけるその方向性の統一化が図れて顧客の視認性向上に寄与でき、更には、商品の抜け落ちを抑止できる簡略構造の商品陳列掛止具に関するものである。
【背景技術】
【０００２】
各種小物商品を、陳列什器の横バー状に形成した陳列用受部材に横並びで陳列する場合、従来においてはステンレスの棒状材等により例えばＳ状に形成した簡略構成の商品陳列用フック（Ｓカン）が多用されている。
【０００３】
従来におけるこの種の商品陳列用フック１０１について、図１８乃至図２０を参照して説明する。
【０００４】
従来の商品陳列用フック１０１は、図１８に示すように、ステンレスの棒状材を用いて、陳列什器を構成する丸棒状の陳列用受部材１００に掛け止める丸形の掛け止めフック片部１０２と、例えばパッケージ構造で、内部に各種小物類を収納した商品１１１を吊り下げる丸形の吊り下げフック片部１０３とを一体連設して全体をＳ状に形成している。
【０００５】
そして、図１９に示すように、商品１１１の上部に設けた円形の吊り下げ穴１１２を吊り下げフック片部１０３に嵌め入れて、前記商品１１１を吊り下げ状態で陳列するように構成している。
【０００６】
このような従来の商品陳列用フック１０１の場合、図１９に示すように、顧客が商品１１１に触れたような場合、陳列した商品１１１が真正面を向いたり、水平左方向に旋回したり、水平右方向に旋回したりする事態が多く生じ、前記商品１１１の陳列時においてその方向性が不揃いとなり、当該陳列什器において、多数の商品１１１の陳列方向の統一化を図れなくなり、顧客による当該商品１１１の視認性が悪化して販売促進を図る上で好ましくない。
【０００７】
また、従来の商品陳列用フック１０１の場合、図２０に示すように、多数の商品１１１を各々商品陳列用フック１０１により陳列用受部材１００の下方に吊り下げて、その間隔を詰めた場合には、上述したような商品１１１の陳列時における方向性の不揃いに起因して、商品１１１の表裏が混在した状態で吊り下げられる事態が生じ、顧客による当該商品１１１の視認性がより悪化して販売促進を図る上で大きな悪影響を及ぼすことになる。
【０００８】
更に、従来の商品陳列用フック１０１の場合、商品１１１の抜け止め抑止策が講じられておらず、顧客が触ったりした場合に個々の商品１１１が商品陳列用フック１０１から外れ、床に落下し損傷し易いという問題もある。
【０００９】
一方、図示しないが、従来の商品陳列用フック１０１の場合、陳列用受部材に嵌め込む円環状の嵌め込みフック片部と、丸形の吊り下げフック片部とを連設した商品陳列用フックも使用されている。
【００１０】
この商品陳列用フックの場合、上述した商品陳列用フック１０１の場合と同様な使用態様の場合には、陳列什器の陳列用受部材の端部を一旦外さないと嵌め込みフック片部を装着できず、商品陳列用フックを増設したり減らしたりする際に極めて不便である。
【００１１】
また、この商品陳列用フックの円環状の嵌め込みフック片部を、陳列什器に設けた片持ち構造の突出バーからなる陳列用受部材に嵌め込み、吊り下げフック片部により商品を吊り下げる態様もあるが、この場合にも、商品の抜け止め抑止策が講じられておらず、顧客が触ったりした場合に個々の商品が商品陳列用フックから外れ、床に落下し損傷し易いという問題を包含している。
このように、従来の商品陳列用フックにおいては、商品の陳列時においてその方向性が不揃いで顧客の視認性が良好でないこと、商品が落下して損傷しやすいこと等の問題を有している。
【００１２】
更には、この種の商品陳列用フックの場合、陳列用受部材への取り付け、取り外しが簡略であり、かつ、一旦取り付けた状態では簡単には外れないこと等が要請されるところである。
【００１３】
特許文献１には、物品を吊り下げる吊り下げ部材と、吊り下げ部材を係止する係止部材と、吊り下げ部材及び係止部材が、第１の方向へ相対的に回動し、また第１の方向と異なる第２の方向へ相対的に回動するように吊り下げ部材及び係止部材を連結するジョイント機構とにより構成したフックが提案されている。
【００１４】
このフックは、吊り下げ部材と係止部材とが、２方向の回動軸の回りにそれぞれ相対的に回動し、フックを掛けた側の鉤の向きの如何にかかわらず、吊り下げ側の鉤の向きを自由に変ることができるものの、吊り下げ部材と係止部材との間にジョイント機構を設けることが必要な複雑な構造を有するものである。
【先行技術文献】
【特許文献】
【００１５】
【特許文献１】特開２０００−１５３９８５号公報
【考案の概要】
【考案が解決しようとする課題】
【００１６】
本考案が解決しようとする問題点は、陳列商品を見易く、陳列商品を取り出し易く、商品の陳列時におけるその方向性の統一化が図れて顧客の視認性向上に寄与できて、更には、商品の抜け落ちを抑止できるような簡略構造の商品陳列掛止具が存在しない点である。
【課題を解決するための手段】
【００１７】
本考案は、陳列用受部材への掛け止めフック片部と、この掛け止めフック片部に連設されるとともに、商品の一部を掛け止めて吊り下げる吊り下げフック片部と、を有する商品陳列掛止具であって、陳列商品を見易く、陳列商品を取り出し易くするために、前記吊り下げフック片部を前記掛け止めフック片部に対して、商品表面視認を妨げない範囲で所定角度左に捻った形態とし、吊り下げる商品が所定角度左旋回した状態になる構成したことを最も主要な特徴とする。
【考案の効果】
【００１８】
請求項１記載の考案によれば、吊り下げフック片部を前記掛け止めフック片部に対して、商品表面視認を妨げない範囲で所定角度左に捻った形態とし、吊り下げる商品を所定角度左旋回した状態で吊り下げて陳列することができ、商品の陳列時におけるその方向性の統一化が図れて顧客の視認性向上に寄与でき、陳列商品を見易く、陳列商品を取り出し易く、販売促進に貢献できる商品陳列掛止具を実現し提供することができる。
【００１９】
請求項２記載の考案によれば、吊り下げフック片部を前記掛け止めフック片部に対して、水平左４５度又は略左４５度捻った形態とし、商品を水平方向に４５度又は略４５度左旋回した状態で吊り下げて陳列することができ、商品の陳列時におけるその方向性の統一化が図れて顧客の視認性向上に寄与でき、陳列商品を見易く、陳列商品を取り出し易く、販売促進に貢献できる商品陳列掛止具を実現し提供することができる。
【００２０】
請求項３記載の考案によれば、前記請求項２記載の考案と同様な効果を奏するとともに、吊り下げフック片部の商品嵌め入れ端部に、商品抜け止め抑止用の膨出部を設けているので、膨出部が商品の抜け落ちを抑止する機能を発揮し、商品が床に落下して損傷するという不都合な事態を回避することができる商品陳列掛止具を実現し提供することができる。
【００２１】
請求項４記載の考案によれば、前記請求項３記載の考案と同様な効果を奏するとともに、掛け止めフック片部の形状を角形、丸形、又は、角・丸組み合わせ形のいずれかの形状としているので、角形、丸形の陳列用受部材に個別に対応でき、また、角・丸組み合わせ形とした場合には、単一の商品陳列掛止具により角形、丸形の陳列用受部材双方に対応することができる商品陳列掛止具を実現し提供することができる。
【００２２】
請求項５記載の考案によれば、掛け止めフック片部を角形の陳列用受部材に対応させた構造とし、この掛け止めフック片部における最上部側の内幅を角形の陳列用受部材の厚さより隙間ができる程度に大きくして、掛け止めフック片部の角形の陳列用受部材に対するスライドを容易に構成し、掛け止めフック片部における開口部側の前記陳列用受部材に対向する側は、陳列用受部材への掛け止めへの掛け止め時隙間ができる形状として、掛け止めフック片部を陳列用受部材へ滑り込み易くするように構成し、掛け止めフック片部の開口部を形成する掛け止め突出端部に外方へ曲げた曲部を設け、商品陳列掛止具自体の角形の陳列用受部材に対する掛脱時に、前記掛け止めフック片部の曲部と、前記吊り下げフック片部の前記曲部に対向する孤状部分とを、角形の陳列用受部材の外面に各々弾性接触させる構成としているので、前記請求項３記載の考案と同様な効果を奏するとともに、陳列用受部材への掛け止め又は陳列用受部材からの離脱のいずれの作業においても簡略、かつ、円滑にその作業を実行できる取扱い性に優れた商品陳列掛止具を実現し提供することができる。
【００２３】
請求項６記載の考案によれば、前記請求項５記載の考案と同様な効果を奏するとともに、商札を保持する商札表示補助具を付加しているので、顧客に対して商品の内容、売値等の情報を確実に伝達することができる商品陳列掛止具を実現し提供することができる。
【００２４】
請求項７記載の考案によれば、陳列用受部材に嵌め入れる掛け止めフック片部と、この掛け止めフック片部に連設されるとともに、商品の一部を掛け止めて吊り下げる吊り下げフック片部と有し、吊り下げフック片部を掛け止めフック片部に対して、商品表面視認を妨げない範囲で所定角度右に捻った形態として、吊り下げる商品を水平方向に所定角度右旋回した状態で陳列する構成としているので、陳列商品を見易く、陳列商品を取り出し易く、商品の陳列時におけるその方向性の統一化が図れて顧客の視認性向上に寄与でき、販売促進に貢献できる商品陳列掛止具を実現し提供することができる。
【００２５】
請求項８記載の考案によれば、吊り下げフック片部を掛け止めフック片部に対して、水平右４５度又は略右４５度捻った形態としているので、商品を水平方向に４５度又は略４５度右旋回した状態で吊り下げて陳列することができ、陳列商品を見易く、陳列商品を取り出し易く、商品の陳列時におけるその方向性の統一化が図れて顧客の視認性向上に寄与でき、販売促進に貢献できるとともに、更に、膨出部が商品の抜け落ちを抑止する機能を発揮し、商品が床に落下して損傷するという不都合な事態を回避することができる商品陳列掛止具を実現し提供することができる。
【図面の簡単な説明】
【００２６】
【図１】図１は本考案の実施例１に係る商品陳列掛止具を示す概略斜視図である。
【図２】図２は本実施例１に係る商品陳列掛止具を示す概略平面図である。
【図３】図３は本実施例１に係る商品陳列掛止具の陳列用受部材に対する掛け止め状態を示す概略側面図である。
【図４】図４は本実施例１に係る商品陳列掛止具の陳列用受部材に対する掛け止め又は離脱の状態を示す説明図である。
【図５】図５は本実施例１に係る商品陳列掛止具による商品の吊り下げ状態を示す概略斜視図である。
【図６】図６は本実施例１に係る複数の商品陳列掛止具による複数の商品の吊り下げ状態を示す概略斜視図である。
【図７】図７は本実施例１に係る多数の商品陳列掛止具による多数の商品の吊り下げ陳列状態を示す概略平面図である。
【図８】図８は本実施例１に係る複数の商品陳列掛止具における膨出部による商品の抜け落ち抑止状態を示す概略斜視図である。
【図９】図９は本実施例１に係る商品陳列掛止具の変形例を示す側面図である。
【図１０】図１０は本実施例１に係る商品陳列掛止具の別の変形例を示す説明図である。
【図１１】図１１は本考案の実施例２に係る商品陳列掛止具の分解状態の側面図である。
【図１２】図１２は本実施例２に係る商品陳列掛止具の概略側面図である。
【図１３】図１３は本実施例２に係る商品陳列掛止具における商札表示補助具の分解斜視図である。
【図１４】図１４は本実施例２に係る商品陳列掛止具における商札表示補助具を下側から見た状態の斜視図である。
【図１５】図１５は本考案の実施例３に係る商品陳列掛止具を示す概略斜視図である。
【図１６】図１６は本実施例３に係る商品陳列掛止具の商品吊り下げ状態を示す概略斜視図である。
【図１７】図１７は本実施例３に係る商品陳列掛止具により多数の商品を吊り下げ陳列する状態を示す概略平面図である。
【図１８】図１８は従来の商品陳列掛止具を示す概略斜視図である。
【図１９】図１９は従来の商品陳列掛止具による商品吊り下げ状態を示す概略斜視図である。
【図２０】図２０は従来の多数の商品陳列掛止具により多数の商品を吊り下げ陳列する状態を示す概略平面図である。
【考案を実施するための形態】
【００２７】
本考案は、陳列商品を見易く、陳列商品を取り出し易く、商品の陳列時におけるその方向性の統一化が図れて顧客の視認性向上に寄与でき、更には、商品の抜け落ちを抑止できる簡略構造の商品陳列掛止具を提供するという目的を、陳列用受部材への掛け止めフック片部と、この掛け止めフック片部に連設されるとともに、商品の一部を掛け止めて吊り下げる吊り下げフック片部と、を略Ｓ字状に形成し、前記吊り下げフック片部の商品嵌め入れ端部に、商品抜け止め抑止用の膨出部を設けるとともに、前記吊り下げフック片部を前記掛け止めフック片部に対して、水平左４５度又は略左４５度捻った形態とし、前記商品が水平方向に４５度又は略４５度左旋回した状態で吊り下げられるように構成したことにより実現した。
【実施例】
【００２８】
以下、本考案の実施例に係る商品陳列掛止具について、各図面を参照して詳細に説明する。
【００２９】
（実施例１）
本考案の実施例１に係る商品陳列掛止具１は、図１、図２に示すように、陳列什器に設けた角形（例えば四角棒状、四角筒状等）の陳列用受部材（陳列用バー）３１への掛け止めフック片部２と、この掛け止めフック片部２に連設されるとともに、商品５１の一部を、例えば商品５１に設けた掛け止め穴５２を嵌め入れて吊り下げる吊り下げフック片部３とを有している。
【００３０】
前記商品５１としては、例えば透明袋を用いたパッケージ構造で、内部に例えばキャラクターグッズ等を収納したものを一例としてあげることができる。
【００３１】
本実施例１における商品５１としては、同一種類のもの、異種類のものの組み合わせ等、特に限定するものではない。
【００３２】
前記商品陳列掛止具１は、弾性を有する例えば直径２ｍｍ以内の針金材又は棒材を用いて全体形状を略Ｓ字状（又は略逆Ｓ字状）に形成するとともに、前記掛け止めフック片部２を前記陳列用受部材３１に掛け止め可能な角形の形状としている。
【００３３】
前記商品陳列掛止具１の素材としては、クロムメッキを施した鋼材や鉄材、アルミニウム材、ステンレス材等を採用することができ、特に限定するものではない。
【００３４】
前記商品陳列掛止具１における前記吊り下げフック片部３は、前記掛け止めフック片部２に対して、その弧状の連結部３ａを商品５１の表面視認を妨げない範囲で所定角度、例えば水平左４５度又は略左４５度捻った形態とし、すなわち、図２に示すように商品陳列掛止具１を真上から見て前記吊り下げフック片部３を前記掛け止めフック片部２に対して時計方向に左４５度又は略左４５度捻った形態とし、商品陳列掛止具１により吊り下げた前記商品５１が水平方向に４５度又は略４５度左旋回した状態で吊り下げられるように構成している。
【００３５】
なお、連結部３ａの捻り角度は、水平左４５度又は略左４５度とする他、商品５１の表面視認を妨げない範囲であれば、例えば水平左３０度乃至水平左６０度等の範囲の角度とすることもでき、限定するものではないが、顧客の視線は左から右へと動くことが多いことを考慮すると、本実施例のように水平左４５度又は略左４５度にすることが好ましいものである。
【００３６】
前記商品陳列掛止具１における連結部３ａの位置を、この商品陳列掛止具１の重心位置となるように設定している。
【００３７】
また、前記吊り下げフック片部３は、その内側を例えば直径１４ｍｍ位の円に外接するような円弧状を呈するように形成している。
【００３８】
前記商品陳列掛止具１における吊り下げフック片部３の商品嵌め入れ端部３ｂに、前記商品５１の抜け止め抑止用の膨出部４を丸め込み（例えば直径６ｍｍ程度の円形状）又は潰しによって設けるとともに、前記掛け止めフック片部２の開口部を形成する掛け止め突出端部２ａに外方へ曲げた曲部５を設けて、その内面側（陳列用受部材３１に対向する側）が弧状に曲がった構造としている。
【００３９】
本実施例１に係る商品陳列掛止具１は、図３に示すように、前記掛け止めフック片部２における図３において最上部側の内幅Ｗ１（例えば１７ｍｍ以内又は略１７ｍｍ以内）を陳列用受部材３１の厚さより隙間Ｓ１ができる程度に大きくして、前記掛け止めフック片部２の前記陳列用受部材３１に対する長さ方向のスライドを容易に構成している。
【００４０】
前記掛け止めフック片部２における曲部５を設けた掛け止め突出端部２ａ側は、最上部側に比べ陳列用受部材３１の外面により接近するように加工している。
【００４１】
前記掛け止めフック片部３における開口部側の陳列用受部材３１に対向する側は、陳列用受部材３１への掛け止め時、隙間Ｓ２ができる形状として、掛け止めフック片部２を陳列用受部材３１へ滑り込み易くするように構成している。
【００４２】
更に、前記商品陳列掛止具１自体の陳列用受部材３１に対する掛脱時に、前記掛け止めフック片部２の曲部５と、前記吊り下げフック片部３の前記曲部５に対向する孤状の連結部３ａの部分とを、前記陳列用受部材３１の外面に各々弾性接触させるような構成としている。
次に、本実施例１に係る商品陳列掛止具１の作用、効果を、図４、図５乃至図７及び図８を参照して説明する。
【００４３】
まず、本実施例１に係る商品陳列掛止具１の前記陳列用受部材３１に対する掛脱時の作用、効果を、図４を参照して説明する。
【００４４】
図４上欄は前記商品陳列掛止具１を前記陳列用受部材３１に掛け止めた状態を、図４中欄は前記商品陳列掛止具１の前記陳列用受部材３１に対する掛け止め途中又は離脱途中の状態を、図４下欄は前記商品陳列掛止具１の前記陳列用受部材３１に対する掛け始め又は離脱直前の状態を各々示すものである。
【００４５】
図４上欄に示す状態においては、前記陳列用受部材３１に掛け止めた商品陳列掛止具１における孤状の連結部３ａの部分が陳列用受部材３１の図４上欄において左下隅に圧接し、同時に前記掛け止めフック片部２の曲部５が陳列用受部材３１の反対側の外面に圧接する状態となり、これにより、前記連結部３ａ、曲部５がストッパー機能を発揮し、商品陳列掛止具１が簡単に陳列用受部材３１の上方に抜け出して外れてしまうことを防止でき、商品陳列掛止具１の掛け止め安定性を図ることができる。
【００４６】
図４中欄は、例えば係員が商品陳列掛止具１を指に持ち、陳列用受部材３１に掛け止めを行う途中の状態、又は陳列用受部材３１に掛け止めた商品陳列掛止具１を指に持ち、陳列用受部材３１から上方に離脱する途中の状態を示すものである。
この場合には、前記掛け止めフック片部２の曲部５の内面側が弧状に滑らかに陳列用受部材３１の外面に接するとともに、吊り下げフック片部３の孤状の連結部３ａの部分が陳列用受部材３１の図４中欄において左下隅に圧接状態で接しつつ移動するので、係員による陳列用受部材３１に対する掛け止め又は離脱を簡略、かつ、円滑に実行することができる。
【００４７】
図４下欄は、例えば係員が商品陳列掛止具１を指に持ち、まず前記掛け止めフック片部２の曲部５の内面側を陳列用受部材３１の外面に当てて、次いで吊り下げフック片部３の外面を陳列用受部材３１の他方の外面に当てて掛け始める状態、又は図４中欄に示す状態から引き続いて陳列用受部材３１に掛け止めた商品陳列掛止具１を指に持ち、陳列用受部材３１から上方に離脱する直前の状態を示すものであり、このようにして係員による商品陳列掛止具１の陳列用受部材３１に対する掛け始め又は離脱のいずれの作業も簡略、かつ、円滑に実行することができる。
【００４８】
次に、図５乃至図７を参照して、本実施例１に係る商品陳列掛止具１による商品５１の陳列態様について説明する。
【００４９】
図５は、前記商品陳列掛止具１を使用して商品５１を陳列用受部材３１により吊り下げ状態で陳列する態様を示すものである。
【００５０】
このとき、既述したように、前記吊り下げフック片部３を前記掛け止めフック片部２に対して時計方向に左４５度又は略左４５度捻った形態としているので、商品陳列掛止具１により吊り下げた前記商品５１が水平方向に４５度又は略４５度左旋回した状態で吊り下げられることになり、これにより、陳列商品を見易く、陳列商品を取り出し易く、商品５１の陳列時におけるその方向性の統一化を図ることができ、顧客の商品５１に対する視認性が向上し、販売促進に寄与することができる。
【００５１】
このような作用、効果は、同一種類の商品５１を多数陳列した場合、異種類の商品を組み合わせて多数陳列した場合を問わず発揮させることができる。
【００５２】
また、図６に示すように、複数の商品陳列掛止具１を使用して複数の商品５１を陳列用受部材３１により吊り下げた場合に、当該商品５１の販売状態によっては、個々の商品５１間に間隔が生じる事態も存在する。
【００５３】
このような場合においても、実施例１の商品陳列掛止具１を使用することにより、個々の商品５１についていずれも水平方向に４５度又は略４５度左旋回した状態として統一し、陳列商品を見易く、陳列商品を取り出し易く、顧客の商品５１に対する良好な視認性を確保することができる。
【００５４】
また、顧客が商品５１に触れて当該商品５１が水平右方向に旋回した場合や、逆に左旋回して真横を向いた状態となった場合でも、商品陳列掛止具１の上述した構造により、当該商品５１を元の水平方向に４５度又は略４５度左旋回した状態に復帰させることができる。
【００５５】
更に、図７に示すように、複数の商品陳列掛止具１を使用して複数の商品５１を陳列用受部材３１により間隔を狭めて吊り下げた場合においても、商品陳列掛止具１の上述した構造により、各商品５１をいずれも水平方向に４５度又は略４５度左旋回した状態として統一することができ、陳列商品を見易く、陳列商品を取り出し易く、やはり顧客の商品５１に対する視認性が向上し、販売促進に寄与することができる。
【００５６】
図８は、前記商品陳列掛止具１を使用して商品５１を陳列用受部材３１により吊り下げた状態から、当該商品５１が大きく旋回して掛け止め穴５２の部分が商品陳列掛止具１から外れ落ちそうになった状態を示すものである。
【００５７】
このとき、前記商品陳列掛止具１における前記吊り下げフック片部３に設けた膨出部４が、掛け止め穴５２の縁部に引っ掛かり、これにより、膨出部４が商品５１の抜け落ちを抑止する機能（ストッパー機能）を発揮し、商品５１が床に落下して損傷するという不都合な事態を回避できる。
【００５８】
図９は、前記商品陳列掛止具１の変形例である商品陳列掛止具１Ａを示すもので、基本的構成は前記商品陳列掛止具１の場合と同様であるが、掛け止めフック片部２を丸形とし、陳列用受部材３１が丸棒状、円筒状のような丸形である場合に対応させたものである。
【００５９】
この商品陳列掛止具１Ａによれば、陳列用受部材３１が丸形である場合に、掛け止めフック片部２を当該陳列用受部材３１に掛け止めて、吊り下げフック片部３により商品５１を吊り下げることができ、また、既述した商品陳列掛止具１の場合と略同様な作用、効果を発揮させることができる。
【００６０】
図１０は、前記商品陳列掛止具１の別の変形例である商品陳列掛止具１Ｂを示すものであり、基本的構成は前記商品陳列掛止具１の場合と同様であるが、掛け止めフック片部２を、その最上部２ｂを直線状、その両側を例えば円弧状とし、一方の円弧弧状部分を連結部３ａを介して吊り下げフック片部３に連設した角・丸組み合わせ形とし、陳列用受部材３１が丸形である場合、角形である場合の双方に対応できるようにしたものである。
【００６１】
この商品陳列掛止具１Ｂによれば、陳列用受部材３１が丸形である場合でも、角形である場合でも、各々掛け止めフック片部２を当該陳列用受部材３１に掛け止めて、吊り下げフック片部３により商品５１を吊り下げることができ、また、既述した商品陳列掛止具１の場合と略同様な作用、効果を発揮させることができる。
【００６２】
また、このような商品陳列掛止具１Ｂの場合、掛け止めフック片部２の最上部２ｂの長さを、陳列用受部材３１の幅（厚さ）寸法よりも少し長くすることにより、最上部２ｂと円弧状部分との境界部分が陳列用受部材３１の角部に当たらず、これにより、陳列用受部材３１の長さ方向へのスライドを円滑にすることができる。
【００６３】
（実施例２）
本考案の実施例２に係る商品陳列掛止具１Ｃについて、図１１乃至図１４を参照して説明する。
【００６４】
本実施例２に係る商品陳列掛止具１Ｃは、図１１乃至図１４に示すように、前記商品陳列掛止具１と、商品５１の名称、売値等を表示する例えば四角形状の商札１２を保持する商札表示補助具１１とを組み合わせたものである。
【００６５】
前記商札表示補助具１１は、例えば不透明なアクリル樹脂材を用い、前記角形の陳列用受部材３１に掛け止め可能な下方が開口した角型形状（下向きの略コ状）に形成され、その内周部に前記商品陳列掛止具１の掛け止めフック片部２の形状に対応させた溝部１３を設け、前記溝部１３に前記掛け止めフック片部２を嵌め着ける商札表示補助具本体１４と、この商札表示補助具本体１４の表面に設けた前記商札１２を差し込んで、商品５１の名称、売値等を表出させる例えば透明なアクリル樹脂材からなる商札表示部１５とを具備している。
【００６６】
前記商札表示部１５は、全体形状が商札表示補助具本体１４の一方の外壁面に対応した四角形状に形成され、かつ、表片１５ａと裏片１５ｂとを側面視Ｕ状を呈するように連設して、表片１５ａ、裏片１５ｂの間の差し込み用隙間１６に前記商札１２を差し込み、これにより、前記商品５１の名称、売値等を表片１５ａの前方から視認し得るように構成している。
【００６７】
また、前記裏片１５ｂを商札表示補助具本体１４の一方の外壁面に接着等により貼り付け一体化している。
【００６８】
本実施例２に係る商品陳列掛止具１Ｃによれば、実施例１に係る商品陳列掛止具１の場合と略同様な作用、効果を発揮させることができることに加え、前記商札表示補助具１１を付加したことにより、前記商札１２に付した商品５１の名称、売値等を表片１５ａの前方から視認し得るように構成しているので、顧客に対して商品５１の内容、売値等の情報を確実に伝達することができる利点がある。
【００６９】
なお、前記商札表示補助具１１としては、前記商品陳列掛止具１Ａや商品陳列掛止具１Ｂの掛け止めフック片部２に対応した形状とする応用も可能である。
【００７０】
（実施例３）
本考案の実施例３に係る商品陳列掛止具１Ｄについて、図１５乃至図１７を参照して説明する。
【００７１】
本実施例３に係る商品陳列掛止具１Ｄは、図１５に示すように、陳列什器の一部を構成する受具４１から前方に片持ち構造で突出する例えば丸形のバー状で陳列用受部材４２に嵌め入れる丸穴２１ａを設けた丸形の掛け止めフック片部２１と、この掛け止めフック片部２１に連設されるとともに、商品５１の一部（掛け止め穴５２の部分）を掛け止めて吊り下げる吊り下げフック片部２２とを、弾性を有する針金材又は棒材を用いて構成している。
【００７２】
そして、前記吊り下げフック片部２２を、掛け止めフック片部２１に対して商品表面視認を妨げない範囲で所定角度右に、例えば、水平方向に４５度又は略４５度右に捻った形態としている。
【００７３】
なお、前記捻り角度は、水平右４５度又は略右４５度とする他、商品５１の表面視認を妨げない範囲であれば、例えば水平右３０度乃至水平右６０度等の範囲の角度とすることもでき、更には、実施例１の場合のように水平左３０度乃至水平左６０度等の範囲の角度に捻った構成とすることも可能で、限定するものではない。
【００７４】
前記吊り下げフック片部２２には、実施例１の吊り下げフック片部３の場合と同様な商品抜け止め抑止作用を発揮する膨出部２３を設けている。
【００７５】
本実施例３に係る商品陳列掛止具１Ｄによれば、図１６に示すように、商品陳列掛止具１Ｄにより吊り下げた前記商品５１が水平方向に４５度又は略４５度右旋回した状態で吊り下げられることになり、これにより、商品５１の陳列時におけるその方向性の統一化を図ることができ、顧客の商品５１に対する視認性が向上し、販売促進に寄与することができる。
【００７６】
このような作用、効果は、同一種類の商品５１を多数陳列した場合、異種類の商品を組み合わせて多数陳列した場合を問わず発揮させることができる。
【００７７】
また、図１７に示すように、複数の商品陳列掛止具１Ｄを使用して複数の商品５１を陳列用受部材４２により間隔を狭めて吊り下げた場合においても、商品陳列掛止具１Ｄの上述した構造により、各商品５１をいずれも水平方向に４５度又は略４５度右旋回した状態として統一することができ、やはり顧客の商品５１に対する視認性が向上し、販売促進に寄与することができる。
【００７８】
なお、本実施例３に係る商品陳列掛止具１Ｄにおいては、上述した場合の他、掛け止めフック片部２１において、前記丸穴２１ａに替えて四角穴を設けた構造とし、四角棒状の陳列用受部材に嵌め入れ可能な構成とすることももちろん可能である。
【産業上の利用可能性】
【００７９】
本考案の商品陳列掛止具は、例えば、歯ブラシ、歯磨き入り容器等の日常品、電池、メモリカードやマウス等のコンピュータ関連品、ネジ、ボルト、ナット等の機械部品、手袋、靴下等の小物衣類等、種々の商品の陳列用として広範に適用可能である。
【符号の説明】
【００８０】
１    商品陳列掛止具
１Ａ  商品陳列掛止具
１Ｂ  商品陳列掛止具
１Ｃ  商品陳列掛止具
１Ｄ  商品陳列掛止具
２    掛け止めフック片部
２ａ  突出端部
２ｂ  最上部
３    吊り下げフック片部
３ａ  連結部
３ｂ  商品嵌め入れ端部
４    膨出部
５    曲部
１１    商札表示補助具
１２    商札
１３    溝部
１４    商札表示補助具本体
１５    商札表示部
１５ａ  表片
１５ｂ  裏片
１６    差し込み用隙間
２１    掛け止めフック片部
２１ａ  丸穴
２２    吊り下げフック片部
２３    膨出部
３１    陳列用受部材
４１    受具
４２    陳列用受部材
５１    商品
５２    掛け止め穴
Ｓ１    隙間
Ｓ２    隙間
Ｗ１    内幅
【図１】
0003167564.tif 000003
【図２】
0003167564.tif 000004
【図３】
0003167564.tif 000005
【図４】
0003167564.tif 000006
【図５】
0003167564.tif 000007
【図６】
0003167564.tif 000008
【図７】
0003167564.tif 000009
【図８】
0003167564.tif 000010
【図９】
0003167564.tif 000011
【図１０】
0003167564.tif 000012
【図１１】
0003167564.tif 000013
【図１２】
0003167564.tif 000014
【図１３】
0003167564.tif 000015
【図１４】
0003167564.tif 000016
【図１５】
0003167564.tif 000017
【図１６】
0003167564.tif 000018
【図１７】
0003167564.tif 000019
【図１８】
0003167564.tif 000020
【図１９】
0003167564.tif 000021
【図２０】
0003167564.tif 000022